(57)【要約】【課題】水ポンプの駆動時に発生する振動の伝達を抑制し、快適な衛生洗浄装置を提供すること。【解決手段】ノズル装置８００と、水ポンプ５１６と、熱交換器７００と、サブタンク６００と、止水電磁弁５１４と、これらの部材を設置するシャーシ５０１とを備え、水ポンプ５１６はモータ部５１６ａとリンク機構部５１６ｂとピストン部５１６ｃとを備え、シャーシ５０１は水ポンプ５１６を設置する筒状の水ポンプ設置部５０１ａを備え、水ポンプ５１６は、モータ部５１６ａの外周を緩衝部材で包囲され、モータ部５１６ａは緩衝部材を介して水ポンプ設置部５０１ａに挿入されて支持されたことにより、振動の少ないモータ部が緩衝部材を介してシャーシのモータ設置部に支持されることとなり、水ポンプの駆動時に発生する振動がシャーシや本体に伝達されることが抑制され、衛生洗浄装置の快適性を向上することができる。【選択図】図７
2015055031.tif 000002
【特許請求の範囲】
【請求項１】
洗浄水を噴出するノズル装置と、
前記ノズル装置に洗浄水を供給する洗浄水供給流路と、
制御部と、を含み、
前記洗浄水供給流路は、
前記ノズル装置に洗浄水を送給する水ポンプと、
前記水ポンプの上流側にあって洗浄水を加熱する熱交換器と、
前記熱交換器の上流側にあって前記洗浄水供給流路の一部を大気に開放するサブタンクと、
サブタンクの上流側にあって前記洗浄水供給流路に洗浄水を供給および停止する止水電磁弁と、
前記洗浄水供給流路を構成する部材を設置するシャーシと、を備え、
前記水ポンプは、モータ部と、リンク機構部と、ピストン部と、を備え、
前記シャーシは、前記水ポンプを設置する筒状の水ポンプ設置部を備え、
前記水ポンプは、前記モータ部の外周を緩衝部材で包囲され、前記モータ部は前記緩衝部材を介して前記水ポンプ設置部に挿入されて支持された構成の、
衛生洗浄装置。
【請求項２】
前記水ポンプは、前記モータ部と、前記リンク機構部およびピストン部が略Ｌ字状に配置され、
前記モータ部は前記水ポンプ設置部に略水平に挿入され、前記リンク機構部およびピストン部は略鉛直に垂下した状態で設置された、
請求項１に記載の衛生洗浄装置。
【請求項３】
前記止水電磁弁と前記サブタンクと前記熱交換器とは、前記シャーシの所定位置に設置され、
前記止水電磁弁と前記サブタンク、前記サブタンクと前記熱交換器、とは、相互の接続口がパッキンを介して直接接続され、
前記熱交換器と前記水ポンプとは、軟質樹脂製の接続チューブを介して接続された、
請求項１または２に記載の衛生洗浄装置。
【発明の詳細な説明】
【技術分野】
【０００１】
本発明は、人体局部を洗浄する衛生洗浄装置における水ポンプの設置構造に関するものである。
【背景技術】
【０００２】
従来、この種の衛生洗浄装置の水ポンプの設置構造としては、水ポンプをポンププレートに固定し、ポンププレートを４本のスプリングを介して基板に懸架し、基板を衛生洗浄装置の本体のベースプレートと便器にボルトを介して固定された構造であり、水ポンプが発生する振動をスプリングで吸収することにより衛生洗浄装置の本体に伝達させない構成となっている（例えば、特許文献１参照）。
【０００３】
図３３は、特許文献１に記載された従来の衛生洗浄装置を示すものであり、水ポンプ１の下端部はポンププレート２に固定されており、ポンププレート２の四隅は４本のスプリング３で基板４の切起し部に懸架されている。基板４はボルト７を介してベースプレート５と便器６とに固定されている。
【先行技術文献】
【特許文献】
【０００４】
【特許文献１】実開平１−３１１７８号公報
【発明の概要】
【発明が解決しようとする課題】
【０００５】
しかしながら、前記従来の構成では、水ポンプ全体をポンププレートに固定し、水ポンプとポンププレートの全体がスプリングを介して基板に懸架された構成であり、水ポンプが発生する振動のすべてがスプリングを介して基板に伝達されるものである。水ポンプの振動の発生は全体的に一定ではなく、特に、駆動部であるモータ部とポンプ部では振動の強さが異なり、水ポンプの固定箇所を選択することにより外部に伝達される振動の強さを弱めることが可能であり、従来の構成では伝達される振動の減少作用における最適化の観点から未だ改良の余地があった。
【０００６】
本発明は、前記従来の課題を解決するもので、水ポンプの振動の少ないモータ部を保持することにより、本体への振動の伝達を最小限度に抑制し、快適性の高い衛生洗浄装置を提供することを目的とする。
【課題を解決するための手段】
【０００７】
前記従来の課題を解決するために、本発明の衛生洗浄装置は、洗浄水を噴出するノズル装置と、ノズル装置に洗浄水を供給する洗浄水供給流路と、制御部と、を含み、洗浄水供給流路は、ノズル装置に洗浄水を送給する水ポンプと、水ポンプの上流側にあって洗浄水を加熱する熱交換器と、熱交換器の上流側にあって洗浄水供給流路の一部を大気に開放するサブタンクと、サブタンクの上流側にあって洗浄水供給流路に洗浄水を供給および停止する止水電磁弁と、洗浄水供給流路を構成する部材を設置するシャーシと、を備え、水ポンプは、モータ部と、リンク機構部と、ピストン部と、を備え、シャーシは、水ポンプを設置する筒状の水ポンプ設置部を備え、水ポンプは、モータ部の外周を緩衝部材で包囲され、モータ部は緩衝部材を介して水ポンプ設置部に挿入されて支持された構成である。
【０００８】
これにより、振動の少ないモータ部が緩衝部材を介してシャーシのモータ設置部に支持されることとなり、水ポンプの駆動時に発生する振動がシャーシや本体に伝達されること
が抑制され、衛生洗浄装置の快適性を向上することができる。
【発明の効果】
【０００９】
本発明の衛生洗浄装置は、快適性を向上することができる。
【図面の簡単な説明】
【００１０】
【図１】本発明の実施の形態１における衛生洗浄装置を便器に設置した状態の斜視図
【図２】同衛生洗浄装置の前本体ケースを取り外した状態の斜視図
【図３】同衛生洗浄装置の前本体ケースと制御部を取り外した状態の斜視図
【図４】同衛生洗浄装置の操作部上面を示す斜視図
【図５】リモートコントローラの外観を示す斜視図
【図６】同衛生洗浄装置の水回路の構成を示す模式図
【図７】同衛生洗浄装置の水回路の分解状態を示す斜視図
【図８】同衛生洗浄装置の水回路の組立状態を示す斜視図
【図９】サブタンクの外観を示す斜視図
【図１０】サブタンクの正面視の断面図
【図１１】サブタンクの側面視の断面図
【図１２】熱交換器の外観を示す斜視図
【図１３】熱交換器の断面図
【図１４】水ポンプの外観を示す斜視図
【図１５】水ポンプの断面図
【図１６】ノズル装置の収納状態の外観を示す斜視図
【図１７】図１６に示すＡＡ断面図
【図１８】ノズル装置の収納状態の縦断面図
【図１９】図１８に示すＢ部の詳細断面図
【図２０】図１９に示すＣＣ断面図
【図２１】ノズル装置の収納状態の横断面図
【図２２】図２１に示すＤ部の詳細断面図
【図２３】ノズル装置のお尻洗浄状態を示す縦断面図
【図２４】図２３に示すＥ部の詳細断面図
【図２５】ノズル装置のビデ洗浄状態を示す縦断面図
【図２６】図２５に示すＦ部の詳細断面図
【図２７】ノズル装置のビデ洗浄状態を示す横断面図
【図２８】図２７に示すＧ部の詳細断面図
【図２９】便蓋の分解状態を示す斜視図
【図３０】便蓋の組立状態を示す斜視図
【図３１】図３０に示すＨＨ断面図
【図３２】図３０に示すＩＩ断面図
【図３３】従来の衛生洗浄装置の水回路の構成を示す模式図
【発明を実施するための形態】
【００１１】
第１の発明は、洗浄水を噴出するノズル装置と、前記ノズル装置に洗浄水を供給する洗浄水供給流路と、制御部と、を含み、前記洗浄水供給流路は、前記ノズル装置に洗浄水を送給する水ポンプと、前記水ポンプの上流側にあって洗浄水を加熱する熱交換器と、前記熱交換器の上流側にあって前記洗浄水供給流路の一部を大気に開放するサブタンクと、サブタンクの上流側にあって前記洗浄水供給流路に洗浄水を供給および停止する止水電磁弁と、前記洗浄水供給流路を構成する部材を設置するシャーシと、を備え、前記水ポンプは、モータ部と、リンク機構部と、ピストン部と、を備え、前記シャーシは、前記水ポンプを設置する筒状の水ポンプ設置部を備え、前記水ポンプは、前記モータ部の外周を緩衝部材で包囲され、前記モータ部は前記緩衝部材を介して前記水ポンプ設置部に挿入されて支
持された構成の衛生洗浄装置である。
【００１２】
これにより、振動の少ないモータ部が緩衝部材を介してシャーシのモータ設置部に支持されることとなり、水ポンプの駆動時に発生する振動がシャーシや本体に伝達されることが抑制され、衛生洗浄装置の快適性を向上することができる。
【００１３】
第２の発明は、特に第１の発明において、前記水ポンプは、前記モータ部と、前記リンク機構部およびピストン部が略Ｌ字状に配置され、前記モータ部は前記水ポンプ設置部に略水平に挿入され、前記リンク機構部およびピストン部は略鉛直に垂下した状態で設置されたものである。
【００１４】
これにより、水ポンプのモータ部はシャーシに安定して支持されるとともに、大きい振動を発生するリンク機構部とピストン部は懸架した状態で設置されるため、振動の伝達をより確実に抑制することができる。
【００１５】
第３の発明は、特に第１または第２の発明において、前記止水電磁弁と前記サブタンクと前記熱交換器とは、前記シャーシの所定位置に設置され、前記止水電磁弁と前記サブタンク、前記サブタンクと前記熱交換器、とは、相互の接続口がパッキンを介して直接接続され、前記熱交換器と前記水ポンプとは、軟質樹脂製の接続チューブを介して接続されたものである。
【００１６】
これにより、止水電磁弁とサブタンクと熱交換器の設置精度を向上することが可能となるとともに、水ポンプが発生する振動をこれらの部材に伝達することを抑制することができるので、洗浄手段の制御精度を向上することができる。
【００１７】
以下、本発明の実施の形態について、図面を参照しながら説明する。なお、この実施の形態によって本発明が限定されるものではない。
【００１８】
（実施の形態１）
図１は本実施の形態における衛生洗浄装置を便器上に設置した状態の外観の斜視図を示し、図２は衛生洗浄装置の本体の前本体ケースを取り外した状態の斜視図を示し、図３は衛生洗浄装置の本体の前本体ケースと制御部を取り外した状態の斜視図を示し、図４は衛生洗浄装置の操作部上面の斜視図を示し、図５はリモートコントローラの外観の斜視図を示すものである。
【００１９】
＜１＞衛生洗浄装置の全体構成
図１に示すように、衛生洗浄装置１００は、本体２００、便座３００、便蓋３２０、リモートコントローラ４００、人体検知センサ４５０を主構成部材として構成され、本体２００と便座３００と便蓋３２０は一体で構成され、便器１１０の上面に設置される。
【００２０】
なお、本実施の形態においては衛生洗浄装置１００の本体２００の設置側を後方、便座３００の設置側を前方とし、前方に向かって右側を右方、前方に向かって左側を左方として各構成要素の配置を説明する。
【００２１】
本体２００の側部には突出して操作部２１０が一体に設けられ、本体２００の前部には、便座３００および便蓋３２０が便座便蓋回動機構３６０を介して開閉自在に取り付けられている。便座便蓋回動機構３６０は直流モータと複数のギアで構成されており、便座３００と便蓋３２０を個別または同時に開閉することができる。
【００２２】
図１に示すように便蓋３２０を開放した状態においては、便蓋３２０は衛生洗浄装置１
００の最後部に位置するように起立する。また、便蓋３２０を閉成すると便座３００の上面を隠蔽する。便蓋３２０は樹脂材料の成型による部材で構成されており、二重構造と断熱材による断熱構造となっている。（便蓋３２０の詳細については後述する。）
便座３００は着座面を加熱する便座ヒータ（図示せず）を内蔵しており、便座の着座面が快適な温度になるように加熱する。
【００２３】
また、便座３００の回動軸を支持する本体２００内の軸受け部分には便座３００に着座した人体を検知する着座センサ（図示せず）が設置されている。この着座センサは重量式の着座センサであり、便座３００に使用者が着座することによる重量変化でスイッチを開閉させることにより、便座３００の着座面に使用者が着座していることを検知するものである。
【００２４】
本体２００の内部には、サブタンク６００、熱交換器７００、ノズル装置８００等で構成され、人体の局部を洗浄する洗浄手段５００と、排便時の臭気を脱臭する脱臭装置１２０と、衛生洗浄装置１００の各機能を制御する制御部１３０等が内蔵されている。（洗浄手段５００の詳細については後述する。）
図２に示すように、本体２００の内部の中央部には、洗浄手段５００の主構成部材であるノズル装置８００が設置されており、ノズル装置８００の左側には、脱臭装置１２０が設置されている。また左側部には便座３００と便蓋３２０を開閉駆動する便座便蓋回動機構３６０が設置されている。
【００２５】
図３に示すように、ノズル装置８００の右側には、前方に洗浄手段５００の止水電磁弁５１４、サブタンク６００等が設置されており、その後方には熱交換器７００が設置されており、熱交換器７００の後方には水ポンプ５１６が設置されている。また、図２に示すように洗浄手段５００の上方には制御部１３０が設置されている。
【００２６】
本体２００の右側部には前方に突出するように操作部２１０が一体に設けられており、図４に示すように、衛生洗浄装置１００の各機能を操作および設定する複数のスイッチと表示灯２４０が設置されている。
【００２７】
操作部２１０の内部には操作基板（図示せず）が設置されている。操作基板には複数のタクトスイッチと複数のＬＥＤが設置されており、操作部２１０の上面に貼付されたスイッチ銘板を介してタクトスイッチの押圧操作とＬＥＤの視認が可能となっている。
【００２８】
また、操作部２１０の上面後方には、リモートコントローラ４００と人体検知センサ４５０から送信される赤外線信号を受信する赤外線受信部２１１が配置されている。
【００２９】
操作部２１０に設置されたスイッチは、洗浄動作を操作する複数の操作スイッチ２２０と各種機能を設定する複数の設定スイッチ２３０が設置されている。また、表示灯２４０としては設定状態を表示する複数のＬＥＤが設置されている。
【００３０】
操作スイッチ２２０としては、リモートコントローラ４００の電池切れや、故障の場合に補助的に使用するお尻洗浄スイッチ２２１と、ノズルの掃除を行うときに操作するノズル掃除スイッチ２２２が設けられている。
【００３１】
設定スイッチ２３０としては、洗浄水の温度を設定する温水温度スイッチ２３１と、便座の温度を設定する便座温度スイッチ２３２と、設定されてから８時間に亘り便座３００の保温を停止する８時間切りスイッチ２３３と、衛生洗浄装置１００が使用されない時間帯を自動的に学習して、使用されない時間帯に便座３００の保温温度を下げることにより節電を行う節電スイッチ２３４と、便座３００および便蓋３２０の自動開閉動作を設定す
る便蓋自動開閉スイッチ２３５等が設置されている。
【００３２】
衛生洗浄装置１００の多くの操作は、本体２００とは別体で構成されたリモートコントローラ４００で行われる。リモートコントローラ４００は便座３００に着座した使用者が操作のしやすいトイレルームの壁面等に取り付けられる。
【００３３】
図５に示すように、リモートコントローラ４００の全体形状は薄い直方体に形成されており、樹脂材料で成形された箱状のリモコン本体４０１の上面と前面に複数のスイッチと表示灯が設置されている。また、リモコン本体４０１に上部角にはリモートコントローラ４００の操作信号を本体２００に赤外線で送信する送信部４０２が配置されている。
【００３４】
リモコン本体４０１の内部にはリモートコントローラ４００の制御機能を構成する制御基板（図示せず）と、リモートコントローラ４００の電源である電池（図示せず）が内蔵されている。
【００３５】
リモコン本体４０１の前面中央部には、お尻洗浄を開始するお尻洗浄スイッチ４１０と、女性の局部洗浄を洗浄するビデ洗浄を開始するビデ洗浄スイッチ４１１と、お尻洗浄とビデ洗浄を停止する停止スイッチ４１２と、お尻洗浄およびビデ洗浄時に洗浄位置を前後に周期的に移動させて広い範囲の洗浄が可能とするムーブ洗浄スイッチ４１３と、お尻洗浄時に洗浄強さを周期的に変化させるリズム洗浄スイッチ４１４が配置されている。
【００３６】
前面上部には、お尻洗浄およびビデ洗浄時の洗浄強さを２個のスイッチで調節する洗浄強さスイッチ４１５と、お尻洗浄およびビデ洗浄時の洗浄位置を２個のスイッチで調整する洗浄位置スイッチ４１６と、ノズルを４０℃の温水で約１分間洗浄するノズル除菌スイッチ４１７が配置されている。
【００３７】
また、洗浄強さスイッチ４１５の上方には、洗浄強さを５段階で表示するＬＥＤの強さ表示灯４２１と、洗浄位置スイッチ４１６の上方には、洗浄位置を５段階で表示する位置表示灯４２２が配置されている。
【００３８】
リモコン本体４０１の上面には、便蓋を電動で開閉する便蓋スイッチ４１８と、便座を電動で開閉する便座スイッチ４１９が設置されており、スイッチ操作により使用者が任意に便座３００と便蓋３２０を開閉できる構成となっている。
【００３９】
人体検知センサ４５０は本体２００とは別体で構成されており、トイレルームの壁面等に取り付けられる。人体検知センサ４５０は、人体から放出される赤外線を受光する焦電センサ（図示せず）と、焦電センサの信号で人体の検出を判定するセンサ制御部（図示せず）と、センサ制御部からの人体検知信号を本体２００の制御部に赤外線で送信する赤外線送信部（図示せず）と、人体検知センサ４５０の電源である電池（図示せず）等で構成されている。
【００４０】
＜２＞洗浄手段の構成
図６は衛生洗浄装置の水回路の構成を示す模式図である。
【００４１】
本体２００の内部には使用者の局部を洗浄する洗浄手段５００が内蔵されている。洗浄手段５００は洗浄水を噴出するノズル装置８００と、給水接続口５１０からノズル装置８００に洗浄水を供給する一連の洗浄水供給流路とで形成されている。
【００４２】
図６に示すように、洗浄水供給流路は、給水接続口５１０と、ストレーナ５１１と、逆止弁５１２と、定流量弁５１３と、止水電磁弁５１４と、リリーフ弁５１５と、サブタン
ク６００と、熱交換器７００と、バッファータンク７５０と、水ポンプ５１６と、流調弁５１７と、が順次設置され、ノズル装置８００に接続されている。
【００４３】
本体２００の右側下方に水道管が接続される給水接続口５１０が配置されており、給水接続口５１０の内部には水道水に含まれるごみの流入を防止するストレーナ５１１と、サブタンク６００内に貯溜された水が水道配管に逆流することを防止する逆止弁５１２が組み込まれている。
【００４４】
逆止弁５１２の下流には、流路に流れる洗浄水の量を一定に保つ定流量弁５１３と、流路を電動で開閉する止水電磁弁５１４と、リリーフ弁５１５とが一体に構成されている。
【００４５】
止水電磁弁５１４の下流には、大気解放口を備えたサブタンク６００と、洗浄水を瞬時に加熱する熱交換器７００と、熱交換器７００で加熱された温水の温度を均一にするバッファータンク７５０が接続されている。
【００４６】
バッファータンク７５０の下流には、水ポンプ５１６が接続されている。水ポンプ５１６の下流には、流調弁５１７を介してノズル装置８００が接続されており、流調弁５１７のそれぞれのポートにはノズル装置８００のお尻洗浄部８３１、ビデ洗浄部８３２、ノズルクリーニング部８３３が接続されている。
【００４７】
図７および図８に示すように、洗浄手段５００を構成する部材のうち、給水接続口５１０、ストレーナ５１１、逆止弁５１２、定流量弁５１３、止水電磁弁５１４、リリーフ弁５１５、サブタンク６００、熱交換器７００、バッファータンク７５０、水ポンプ５１６は樹脂材料で成型されたシャーシ５０１に組み込まれ一体的に構成され、本体２００の後本体ケース２０１に組みつけられている。
【００４８】
図７に示すように、ストレーナ５１１と逆止弁５１２は給水接続口５１０に一体に組み込まれており、定流量弁５１３とリリーフ弁５１５とは止水電磁弁５１４に一体に組み込まれている。また、バッファータンク７５０は熱交換器７００と一体に構成されている。
【００４９】
給水接続口５１０と止水電磁弁５１４、止水電磁弁５１４とサブタンク６００、サブタンク６００と熱交換器７００、とは接続チューブ等を介さず、相互の接続口をパッキンであるＯリングを介して直接接続する構成となっている。また、これらの水回路を構成する部材はシャーシ５０１の所定の位置に設置固定されている。
【００５０】
このような構成を採用することにより、水密構造を向上することが可能になるとともに、相互の部材の配置精度を向上することができる。特にサブタンク６００と熱交換器７００の配置精度が向上することにより、洗浄水の流量の制御精度を向上することが可能となり、洗浄手段５００の性能の向上と制御精度を向上することができる。
【００５１】
水ポンプ５１６は容積形ポンプであるピストンポンプであり、図１４、図１５に示すように、外形は略Ｌ字状をなしており、略円筒形のモータ部５１６ａと、モータの回転運動を往復運動に変換するリンク機構部５１６ｂと、リンク機構部５１６ｂの往復運動で駆動されるピストン部５１６ｃで構成されている。ピストン部５１６ｃの外面には、接続口として吸水口５１６ｄと吐出口５１６ｅが設けられている。
【００５２】
上記構成の水ポンプ５１６を駆動させた場合、往復運動を伴うリンク機構部５１６ｂとピストン部５１６ｃに比べ、回転運動のみのモータ部５１６ａでは発生する振動が少ない構成となっている。
【００５３】
モータ部５１６ａを駆動することにより、ピストン部５１６ｃが往復運動を開始し、吸水口５１６ｄから洗浄水を吸引して、吐出口５１６ｅから洗浄水吐出する構成であり、吐出する洗浄水はピストン部５１６ｃの往復運動に伴い適度の脈動を伴った水流となる。
【００５４】
上記構成の水ポンプ５１６の略円柱形のモータ部５１６ａの外周を、弾性を備えた発泡樹脂製の緩衝部材（図示せず）で包囲し、シャーシ５０１の後部に設けられた略円筒形の水ポンプ設置部５０１ａに挿入することにより支持され、リンク機構部５１６ｂとピストン部５１６ｃは下方に垂れ下がるように懸架される。
【００５５】
水ポンプ設置部５０１ａは薄い肉厚で形成されており、シャーシ５０１の底面から起立したリブ状の脚部５０１ｂの上部に形成されている。薄い肉厚で形成したことにより樹脂の弾性により水ポンプ５１６の振動を吸収する効果を得ることができる。
【００５６】
また、バッファータンク７５０が一体に形成された熱交換器７００の接続口である出湯口７１２と水ポンプ５１６の接続口である吸水口５１６ｄとは軟質樹脂製の接続チューブで接続される。
【００５７】
上記のように、振動の少ないモータ部５１６ａが緩衝部材を介して、シャーシ５０１の薄い肉厚で形成された水ポンプ設置部５０１ａに設置され、振動を多く発生するリンク機構部５１６ｂとピストン部５１６ｃとはフリーな状態で懸架され、しかもバッファータンク７５０とは軟質樹脂製の接続チューブ５０２で接続されることにより、水ポンプ５１６の駆動時に発生する振動をシャーシ５０１や他の部材、また本体２００に伝わること抑制することが可能となり、衛生洗浄装置の快適性と耐久性を向上する効果を得ることができる。
【００５８】
特に水ポンプ５１６は、発泡樹脂製の緩衝部材と水ポンプ設置部５０１ａを形成する弾性を備えた樹脂との２つの異なる材質を介して支持されることにより、広い範囲の周波数の振動が吸収され、本体への振動の伝達を効果的に抑制することができる。
【００５９】
次に、衛生洗浄装置の洗浄手段５００の基本的な制御について説明する。
【００６０】
水道配管を流れる水道水が、洗浄水として給水接続口５１０から供給され、止水電磁弁５１４が開放されることによりサブタンク６００へ洗浄水が供給される。流路内を流れる洗浄水の流量は定流量弁５１３により一定に維持される。止水電磁弁５１４の駆動は、リモートコントローラ４００および操作部２１０の操作に基づき制御部１３０により制御される。
【００６１】
サブタンク６００に貯溜された洗浄水は、水ポンプ５１６が駆動されることにより熱交換器７００に供給される。水ポンプ５１６の駆動はリモートコントローラ４００および操作部２１０の操作に基づき制御部１３０により制御される。制御部１３０は水ポンプ５１６を駆動するとともに、熱交換器７００の平板状ヒータ７０２への通電を開始し、洗浄水の加熱を開始する。
【００６２】
制御部１３０は入水温度センサ６３０と出湯温度センサ７３０の検知情報により、平板状ヒータ７０２への通電を制御し、洗浄水を操作部２１０の温水温度スイッチ２３１で設定された温度を維持する。
【００６３】
続いて、熱交換器７００で加熱された洗浄水が流調弁５１７に供給される。制御部１３０は操作部２１０およびリモートコントローラ４００の操作情報に基づき流調弁５１７を制御して、ノズル装置８００のお尻洗浄部８３１、ビデ洗浄部８３２、ノズルクリーニン
グ部８３３のいずれかに洗浄水を供給する。これにより、お尻洗浄噴出口８３４、ビデ洗浄噴出口８３６、ノズルクリーニング噴出口８３８のいずれかの噴出口から洗浄水が噴出する。
【００６４】
＜３＞サブタンクの構成
図９はサブタンクの外観を示す斜視図を示すものであり、図１０はサブタンクの横方向の断面図を示し、図１１はサブタンクの前後方向の断面図を示すものである。
【００６５】
図９に示すように、サブタンク６００は樹脂材料により成型されたタンク本体６１０と、タンク本体６１０に貯溜された洗浄水の水位を検知する水位検知センサ６２０と、タンク本体６１０内に供給される洗浄水の温度を検知するサーミスタからなる入水温度センサ６３０とで構成されている。
【００６６】
タンク本体６１０はタンクの前壁、両側壁、底面、天面を構成する前部タンク６１１と、タンクの後壁を構成する後部タンク６１２と、タンク本体６１０の天面に配置された大気開放部６１３と、の３個の部材で構成されている。タンク本体６１０の全体的な形状は、前壁、後壁、両側壁、底面、天面からなる複数の平面で形成されており、平面視形状は略四角形である。前壁は途中から後退する傾斜部を備え、側面視形状は下部より上部が細くなった略台形形状に形成されており、タンク本体６１０の上部の断面積は下部より小さい断面積となっている。
【００６７】
タンク本体６１０の一方の側壁下部には入水口６０１が、タンク本体６１０後壁下部には出水口６０２が設けられており、タンク本体６１０の天面に配置された大気開放部６１３にはタンク本体６１０の内部と外部を連通する大気開放口６０３が設けられている。大気開放口６０３を設けることにより、タンク本体６１０内に溜まった空気を外部に放出するとともに、タンク本体６１０の内部圧力を常時大気圧に維持することができる。
【００６８】
サブタンク６００の内部が常時大気圧に維持されることにより、サブタンク６００の下流から水ポンプ５１６の吸水口５１６ｄまでの流路も大気圧に維持されるため、水ポンプ５１６は水圧変動の影響を受けずに吸水することができるため、安定したポンプ機能を発揮することができる。
【００６９】
大気開放部６１３の大気開放口６０３に連通する流路には、流路の断面積が大きいバッファ部６１３ａが形成されており、大気開放口６０３から気泡に伴って洗浄水が衝撃的に流出しようとした場合等に、洗浄水が一旦バッファ部６０３ａに貯溜されることにより、大気開放口６０３からの流出を抑制する機能を備えている。
【００７０】
タンク本体６１０の内部には仕切壁６１４が設けられており、仕切壁６１４によりタンク本体６１０の内部は入水槽６１５と貯溜槽６１６の２つの槽に分割されている。入水槽６１５の側面の底面近傍には入水口６０１が、貯溜槽６１６の後壁の底面近傍には出水口６０２が設けられている。
【００７１】
仕切壁６１４を設け、入水槽６１５と貯溜槽６１６を形成することにより、入水口６０１から流入した洗浄水に空気が含まれている場合、空気は入水槽６１５の上部より、大気開放口６０３を通過して外部に放出されるため、貯溜槽６１６には空気を含まない洗浄水のみを流入させることができる。
【００７２】
入水槽６１５の上方には、入水槽６１５の上面開口部６１５ａと大気開放部６１３の間に介在し、タンク本体６１０の側壁より略水平方向に突出した障壁６１７が設けられている。障壁６１７は入水槽６１５の上面開口部の全面を覆う大きさとなっている。
【００７３】
また、入水槽６１５の内部には、タンク本体６１０の側壁と仕切壁６１４には、略水平方向に交互に突出した複数の整流リブ６１８が形成されている。
【００７４】
入水口６０１から流入した洗浄水は、まず入水槽６１５の下部に流入し、整流リブ６１８で流れの方向を変化させながら入水槽６１５内を上昇する。このとき入水口６０１から流入する洗浄水の圧力が高い場合、あるいは大量の空気を含んで著しく流れが乱れている場合は整流リブ６１８により、流れが適度に整流化されるとともに、整流リブ６１８の下流側で発生する渦により洗浄水内に含まれる空気が分離される。
【００７５】
入水槽６１５内を上昇した空気が分離された洗浄水は、仕切壁６１４の上端を乗り越えて貯溜槽６１６に流入して貯溜される。
【００７６】
このとき、入水口６０１から流入する洗浄水の圧力が高い場合、あるいは大量の空気を含んで著しく流れが乱れている場合でも、洗浄水は障壁６１７により上方への流れが抑制され、洗浄水が大気開放部６１３に直接当たり、大気開放口６０３よりサブタンク６００の外部に流出することが防止される。
【００７７】
上記のように、入水口６０１から流入した洗浄水は入水槽６１５内を上昇する間に洗浄水に含まれる空気が分離され、分離された空気は大気開放口６０３よりタンク本体６１０外に放出される。貯溜槽６１６には空気を含まない洗浄水が貯溜され、出水口６０２より熱交換器７００に供給される。
【００７８】
サブタンク６００より熱交換器７００に供給される洗浄水に空気が混入していた場合、熱交換器７００の内部に気泡が発生することにより熱交換器７００の内部の温度が異常上昇し、熱交換器７００が損傷することがあり、仕切壁６１４を設け、空気の混入を防止することにより、熱交換器７００の損傷を防止する効果を得ることができる。
【００７９】
水位検知センサ６２０は、共通の電極となるコモン電極６２１と、水位毎に設置された複数の水位電極６２２で構成されており、本実施の形態においては１個のコモン電極６２１と２個の水位電極６２２で構成されている。コモン電極６２１と水位電極６２２はステンレス材料で形成されている。
【００８０】
タンク本体６１０の前壁下部の内面にはコモン電極６２１が配置されており、タンク本体６１０の後壁の内面には水位電極６２２が配置されている。水位電極６２２は上部に設けられた上部電極６２３と、下部に設けられた下部電極６２４で構成されている。コモン電極６２１は下部電極６２４より低い位置に設置されており、コモン電極６２１は通常の使用状態では常に浸水状態となっている。
【００８１】
コモン電極６２１と、水位電極６２２である上部電極６２３および下部電極６２４とを異なる面に設置したことにより、タンク本体６１０の内面に付着した残水を貯溜水として誤検知することを抑制する効果を得ることができる。
【００８２】
水位の検知は、コモン電極６２１と水位電極６２２との間に直流電流を印加し、水位電極６２２が浸水しているか否かにより電圧が変化することにより水位を検知する。すなわち、貯溜槽６１６に洗浄水が流入して水位が上昇し、下部電極６２４および上部電極６２３が浸水すると、コモン電極６２１と下部電極６２４および上部電極６２３間の電圧が低下することにより制御部１３０は水位を検知する。
【００８３】
上部電極６２３は上限水位の検知に使用され、下部電極６２４は下限水位の検知に使用
される。上部電極６２３は大気開放口６０３より低い位置に設置されており、これにより、大気開放口６０３から洗浄水が流出することを防止することができる。また、下部電極６２４は出水口６０２より上方に設置されており、これにより、熱交換器７００に空気が流入することを防止することができる。
【００８４】
また、制御部１３０は、電極に印加する直流電流の極性を周期的に反転させながら印加する構成となっている。洗浄水を介してコモン電極６２１と水位電極６２２と間に直流電流を印加した場合、電気分解の作用により電極を形成する金属が酸化およびイオン化による溶出することにより、電極が短期間に劣化することがあり、電流の極性を周期的に反転することにより電極の劣化を抑制することができる。
【００８５】
本実施の形態においては、極性の反転の間隔は、衛生洗浄装置の電源として供給される交流電源に対応した時間設定となっており、供給される交流電源が５０Ｈｚの場合は１／５０秒、供給される交流電源が６０Ｈｚの場合は１／６０秒としている。
【００８６】
本実施の形態における衛生洗浄装置１００においては、止水電磁弁５１４が開放されてサブタンク６００に洗浄水が供給され、上限水位が検知されると、止水電磁弁５１４は閉止され給水が停止し、サブタンク６００内は満水状態となる。サブタンク６００の満水状態から、通常の洗浄動作を実施すると水位が低下し、下限水位が検知されると止水電磁弁５１４が再び開放されてサブタンク６００に洗浄水が供給され、上限水位が検知されるまで給水が継続される。
【００８７】
サブタンク６００に貯溜される洗浄水の最大量は１００ｃｃであり、上限水位から下限水位までの水量は６５ｃｃである。
【００８８】
洗浄に使用される洗浄水の流量は最も強い洗浄力で洗浄した場合は４５０ｃｃ／ｍｉｎであり、最も弱い洗浄力洗浄した場合は２６０ｃｃ／ｍｉｎに設定されている。この場合、洗浄水が上限水位から下限水位に到達するまでの時間は、最も強い洗浄力で洗浄した場合８．７秒間となり、最も弱い洗浄力で洗浄した場合１５秒間となる。
【００８９】
一般的に使用者が局部の洗浄に要する時間は３０秒以上であるので、最も弱い洗浄力で洗浄した場合でも１３０ｃｃの洗浄水を使用することとなり、１回の洗浄動作で、最低１回は上限水位から下限水位への変化を検知することが可能となる。
【００９０】
制御部１３０は、上限水位から下限水位までの経過時間を計測し、計測した時間と上限水位から下限水位までの水量（６５ｃｃ）とを演算することにより流量を算出し、洗浄強さ毎に設定された流量と差がある場合は、水ポンプ５１６の出力を調整することにより、洗浄水の流量を補正する。
【００９１】
なお、本実施の形態のサブタンク６００は底面が略四角形の形状としたが、これに限るものではなく、他の多角形状でもよい。
【００９２】
また、本実施の形態においては、コモン電極６２１と水位電極６２２とは対向する壁面である前壁と後壁に設置したが、これに限るものではなく、異なる面であれば、例えば、前壁と側壁等の隣接する壁面に設置してもよい。
【００９３】
また、コモン電極６２１と水位電極６２２の別の設置例としては、コモン電極６２１を前壁に設置し、水位電極６２２を天面に設置してもよい。このとき、下部電極６２４と上部電極６２３の先端はそれぞれ下限水位、上限水位に位置するように長さを変える。
【００９４】
また、本実施の形態においては、水位電極６２２としては上部電極６２３と下部電極６２４の２個を設置したがこれに限るものではなく、３個以上の水位電極６２２を配置することにより、水位検知の間隔を細分化することにより、水位検知と流量検知の精度を向上することができる。
【００９５】
＜４＞熱交換器の構成
図１２は熱交換器の外観を示す斜視図であり、図１３は熱交換器の断面図を示すものである。
【００９６】
本実施の形態における熱交換器７００はバッファータンク７５０が一体に形成されており、熱交換器７００の上部にバッファータンク７５０が設置されている。
【００９７】
図１２に示すように、熱交換器７００は正面視で略長方形の平板状をなし、ＡＢＳ樹脂にガラス繊維をコンパウンドした強化ＡＢＳ樹脂で成型されたケーシング７０１とセラミック製の平板状ヒータ７０２と出湯部材７０３とを主構成部材としている。
【００９８】
ケーシング７０１は前面部を構成する前面部材７１０と、背面部構成する背面部材７２０で構成されており、前面部材７１０と背面部材７２０との間に形成される空間に平板状ヒータ７０２が設置されている。前面部材７１０と平板状ヒータ７０２との対向部と、背面部材７２０と平板状ヒータ７０２との対向部に形成された隙間を加熱流路７１５とし、加熱流路７１５を流れる洗浄水を平板状ヒータ７０２で瞬時に昇温させるものである。
【００９９】
熱交換器７００は、前面部材７１０の前面下端の右側に接続口である入水口７１１を備えており、前面部材７１０の右側面上端に設置された出湯部材７０３には接続口である出湯口７１２を備えている。
【０１００】
図１３に示すように、入水口７１１に連なる入水流路７１３がケーシング７０１の下端部の略全幅に亘り設けられている。入水流路７１３の上面には全幅に亘り複数のスリット７１４が設けられており、入水流路７１３に流入した洗浄水はスリット７１４を通過して加熱流路７１５へ流入する構成となっている。スリット７１４は洗浄水を加熱流路７１５の全幅に亘り均等に流入させるものである。
【０１０１】
加熱流路７１５の上端部には仕切リブ７１６が設けられており、仕切リブ７１６より上方がバッファータンク７５０となっている。仕切リブ７１６には略全幅に亘り複数の通水孔７１７が設けられており、加熱流路７１５で加熱された洗浄水は通水孔７１７を通過してバッファータンク７５０内に流入する構成となっている。
【０１０２】
バッファータンク７５０内には断面形状が略半円形の突起７１８が略全幅に亘り間隔をあけて設けられている。バッファータンク７５０内を出湯口７１２に向かって流れる洗浄水は、突起７１８による流れが乱されることにより、洗浄水が混ざり合って洗浄水の温度斑が解消され、均一な温度の洗浄水が出湯口７１２より出湯される。
【０１０３】
出湯部材７０３には２個のサーミスタが設置されており、一方は洗浄水の出湯温度を検知する出湯温度センサ７３０であり、他方は熱交換器７００の過昇温度を検知する過昇温度センサ７３１である。
【０１０４】
＜５＞ノズル装置の構成
図１６は本実施の形態におけるノズル装置の収納状態を示す斜視図であり、図１７は図１６に示すＡＡ断面図であり、図１８はノズル装置の収納状態を示す縦断面図であり、図１９は図１８に示すＢ部の詳細断面図であり、図２０は図１９に示すＣＣ断面図であり、
図２１はノズル装置の収納状態の横断面図であり、図２２は図２１に示すＤ部の詳細断面図であり、図２３はノズル装置のお尻洗浄状態を示す縦断面図であり、図２４は図２３に示すＥ部の詳細断面図であり、図２５はノズル装置のビデ洗浄状態を示す縦断面図であり、図２６は図２５に示すＦ部の詳細断面図であり、図２７はノズル装置のビデ洗浄状態を示すノズル部の横断面図であり、図２８は図２７に示すＧ部の詳細断面図である。
【０１０５】
ノズル装置８００は、図１６に示すように、樹脂材料で成型した略三角形の枠状の支持部８１０と、支持部８１０に沿って進退移動するノズル部８２０と、ノズル部８２０の進退移動を駆動する駆動部８６０と、ノズル部８２０への洗浄水の供給を切り替える流調弁５１７で構成されている。
【０１０６】
なお、本実施の形態においてはノズル部の収納方向を後方とし、ノズル部８２０の進出方向を前方とし、後方より前方に向かって右側を右方、左側を左方として各構成要素の配置を説明する。
【０１０７】
支持部８１０は側面視略三角形の枠状に形成されており、略水平な底辺部８１１に対し、後部より前部に向かって降下した傾斜部８１２と、底辺部８１１と傾斜部８１２の後端を接合する縦辺部８１３が形成されている。傾斜部８１２にはノズル部８２０の進退移動を案内するガイドレール８１４と駆動部８６０の可撓ラック８６１を案内するラックガイド８１５が略全長に亘って形成されている。また傾斜部８１２の前端下方にはノズル部８２０を抱囲するように支持する略円筒形の抱持部８１６が一体に形成されている。
【０１０８】
図１７に示すように、ノズル部８２０を案内するガイドレール８１４は断面が略Ｔ字状に形成されている。また、可撓ラック８６１を案内するラックガイド８１５は断面が一方の側面が開放された略コの字状を成しており、可撓ラック８６１の上下面と一方の側面を規制して案内する構成となっている。
【０１０９】
ラックガイド８１５は傾斜部８１２に続いて支持部８１０の後部の縦辺部８１３と底辺部８１１にも連続して形成されており、傾斜部８１２と縦辺部８１３および縦辺部８１３と底辺部８１１とのコーナは円弧形状で接続されている。縦辺部８１３と底辺部８１１に形成されたラックガイド８１５の断面形状も略コの字状であるが、開放された側面は傾斜部においては左側であるのに対し、縦辺部８１３と底辺部８１１とは反対の右側面となっている。縦辺部８１３と底辺部８１１のラックガイド８１５の開放面は別部材の支持部蓋により閉塞されている。
【０１１０】
ノズル部８２０をガイドレール８１４に沿って進退移動させる駆動部８６０は、ノズル部８２０に結合された可撓ラック８６１と、可撓ラック８６１と噛合するピニオンギア８６２と、ピニオンギア８６２を回転駆動する駆動モータ８６３で構成されている。
【０１１１】
駆動モータ８６３はステッピングモータであり、パルス信号により回転角度が制御される。駆動モータ８６３が回転することによりピニオンギア８６２を介して可撓ラック８６１が駆動される構成となっている。
【０１１２】
支持部８１０の抱持部８１６の内周面とノズル部８２０の外周面との間には間隙が設けられており、ノズル部８２０から噴出した洗浄水が抱持部８１６の内周面とノズル部８２０の外周面との間に形成される間隙に流入してノズル部８２０外周面を洗浄する構成となっている。
【０１１３】
また、抱持部８１６の前方にはノズル部８２０の進退により開閉するノズル蓋８０１が開閉自在に設けられており、ノズル部８２０が収納されている状態で閉塞することにより
、ノズル部８２０が便等で汚染されることを防止する構成となっている。
【０１１４】
支持部８１０の底辺部８１１には、洗浄水供給手段に接続する給水チューブ（図示せず）と支持部８１０から流調弁５１７に洗浄水を供給する接続チューブ８０２とを相互に接続する給水継手８１７が形成されている。
【０１１５】
ノズル部８２０は、樹脂材料で成型された棒状のノズル本体８３０と、ノズル本体８３０の略全体を覆う筒状のノズルカバー８４０と、ノズル本体８３０でノズルカバー８４０を牽引する連結手段８５０とで構成されている。
【０１１６】
ノズル本体８３０は、局部を洗浄するお尻洗浄部８３１と、女性の局部を洗浄するビデ洗浄部８３２と、ノズル部８２０をクリーニングするノズルクリーニング部８３３を備えている。
【０１１７】
お尻洗浄部８３１は、ノズル本体８３０の先端部に上方に開口したお尻洗浄噴出口８３４と、ノズル本体８３０の後端よりお尻洗浄噴出口８３４に連通するお尻洗浄流路８３５で構成されている。お尻洗浄流路８３５はノズル本体８３０の下部に設置されており、お尻洗浄噴出口８３４の下方で上方に向かって屈曲しており、屈曲部には洗浄水の流れを整流する整流板８３５ａが設置されている。お尻洗浄噴出口８３４から噴出した洗浄水はノズルカバー８４０の噴出開口８４４を通過して上方に向かって噴出される。
【０１１８】
ビデ洗浄部８３２は、お尻洗浄噴出口８３４の後方に配置されたビデ洗浄噴出口８３６と、ノズル本体８３０の後端よりビデ洗浄噴出口８３６に連通するビデ洗浄流路８３７で構成されている。ビデ洗浄噴出口８３６から噴出した洗浄水はノズルカバー８４０の噴出開口８４４を通過して上方に向かって噴出される。
【０１１９】
ノズルクリーニング部８３３は、ノズル本体８３０の側面に配置されたノズルクリーニング噴出口８３８と、ノズル本体８３０の後端よりノズルクリーニング噴出口８３８に連通するノズルクリーニング流路８３９で構成されている。ノズルクリーニング噴出口８３８から噴出した洗浄水はノズルカバー８４０の内部に噴出され、ノズルカバー８４０排水口８４５からノズルカバー８４０の外部に放出される。ノズルクリーニング噴出口８３８から噴出した洗浄水はノズル部８２０とその周辺の清掃に使用される。
【０１２０】
ノズル部８２０は、前方を支持部８１０の抱持部８１６に挿入した状態で支持され、後部をガイドレール８１４に懸架された状態で摺動自在に設置されており、図１６に示すように、ノズル部８２０を抱持部８１６より後方に収容された収納位置と、図２３に示すように、ノズル部８２０が抱持部８１６より突出したお尻洗浄位置と、図２５に示すビデ洗浄位置との間を進退可能となっている。
【０１２１】
ノズルカバー８４０はノズルカバー本体８４１と連結部材８４２とで構成されている。ノズルカバー本体８４１はステンレスの薄板を円筒状に形成したものであり、先端面は閉塞面をなし、後端面は開放面となっている。連結部材８４２は樹脂材料で成型された略円筒状であり、両側部にはノズル本体８３０と係合する連結片８４３が形成されている。
【０１２２】
また、連結部材８４２の後端右側には、ノズルカバー８４０の摺動範囲を規制するノズルカバーストッパが一体に形成されており、支持部８１０に形成された前ストッパ受部と後ストッパ受部に当接することにより摺動範囲が規制される構成となっている。
【０１２３】
連結部材８４２の一部はノズルカバー本体８４１の後端の開口よりノズルカバー本体８４１内に挿入された状態で固定され一体化された構成となっている。ノズルカバー本体８
４１の前方上面には、ノズル本体８３０のお尻洗浄噴出口８３４とビデ洗浄噴出口８３６が対向可能な噴出開口８４４が１個設けられている。また、ノズルカバー本体８４１の前方下面にはノズルカバー本体８４１内に流出した洗浄水を外部に排出する排水口８４５が設けられている。
【０１２４】
ノズルカバー８４０の内径はノズル本体８３０の外径より僅かに大きい寸法であり、ノズルカバー８４０にノズル本体８３０を挿入した状態で、ノズル本体８３０とノズルカバー８４０が互いにスムーズに摺動可能な寸法関係となっている。
【０１２５】
ノズル本体８３０の後端面には流調弁５１７が設置されている。流調弁５１７はディスクタイプの弁本体５１７ａと切り替え動作を駆動するステッピングモータ５１７ｂで構成されている。流調弁５１７はお尻洗浄流路８３５と、ビデ洗浄流路８３７と、ノズルクリーニング流路８３９に選択的に洗浄水を供給するものである。
【０１２６】
また、流調弁５１７の弁本体５１７ａの外面には流調弁５１７に洗浄水を供給する給水口５１７ｃ設置されており、給水口５１７ｃには支持部８１０の給水継手８１７と連通する接続チューブ８０２が接合されている。
【０１２７】
次に、ノズルカバー８４０の連結部材８４２とノズル本体８３０の連結受部８５１で構成される連結手段８５０について説明する。
【０１２８】
図２２、図２８に示すように、ノズル本体８３０の後端部の外周右側には連結受部８５１が形成されている。連結受部８５１は２本の略Ｖ字型の溝が形成されており、前方の前凹陥部８５１ａと後方の後凹陥部８５１ｂが前後に間隔をあけて２本配置されている。前凹陥部８５１ａと後凹陥部８５１ｂの間隔はお尻洗浄噴出口８３４とビデ洗浄噴出口８３６の間隔と等しい寸法となっている。
【０１２９】
一方、ノズルカバー８４０の連結部材８４２は、略円筒状の樹脂材料で成型され、後部両側部は後方に突出した連結片８４３が形成されており、連結片８４３の後端部には内方に突出した略Ｖ字形状の連結突起８４３ａが形成されている。
【０１３０】
ノズル本体８３０をノズルカバー８４０に挿入した状態においては、ノズルカバー８４０の連結部材８４２の弾性により、連結突起８４３ａがノズル本体８３０の連結受部８５１に常時押し当てられた状態となり、連結突起８４３ａが前凹陥部８５１ａ内または後凹陥部８５１ｂに係合した状態では、ノズル本体８３０とノズルカバー８４０が連結された状態となり、ノズルカバー８４０はノズル本体８３０に牽引されて移動することが可能となる。
【０１３１】
図２２に示すように、連結突起８４３ａが前凹陥部８５１ａに入り込んでいる状態では、図２６に示すように、ノズル本体８３０のビデ洗浄噴出口８３６とノズルカバー８４０の噴出開口８４４が対向した状態となり、図２８に示すように、連結突起８４３ａが後凹陥部８５１ｂに入り込んでいる状態では、図１９、図２４に示すように、お尻洗浄噴出口８３４と噴出開口８４４が対向した状態となる。
【０１３２】
＜６＞便蓋の構成
図２９は便蓋の分解状態を上下反転した状態で示す斜視図であり、図３０は便蓋の組立状態を上下反転した状態で示す斜視図であり、図３１は図３０にＨＨで示す断面図であり、図３２は図３０にＩＩで示す断面図である。
【０１３３】
図２９に示すように、便蓋３２０はポリプロピレン樹脂（ＰＰ）で一体成型された便蓋
本体３３０と、ポリプロピレン樹脂（ＰＰ）で一体成型された便蓋内面部材３４０と、発泡スチロール製の断熱材３５０と、弾性を備えた軟質樹脂材料である熱可塑性エラストマー樹脂（ＴＰＥ）で成型された緩衝部材３５１で構成されている。
【０１３４】
便蓋本体３３０は略半楕円形状の上面部３３１と、上面部３３１の外周の前部と両側部に一体に形成された側面部３３２とを備えている。上面部３３１の平面形状は便座３００の外形と略相似形となっており、便蓋３２０の閉塞状態において便座３００の上面の全てを覆うことができ、また、側面部３３２は便座３００の側面の一部を覆うことができる形状となっている。
【０１３５】
上面部３３１の前方内面の二箇所には、便蓋内面部材３４０と緩衝部材３５１を保持する保持部３３３が形成されている。
【０１３６】
また側面部３３２の両後端部には本体２００に設けられた回動軸に嵌合する筒状の軸受部３３４が一体に形成されており、樹脂材料の弾性を利用して側面部３３２を押し広げることにより回動軸に着脱できる構成となっている。
【０１３７】
一方の軸受部３３４の外形は単一直径による円形に形成されている（図示せず）。他方の軸受部３３４の外形は、図２９および図３０に示すように。２つの異なる直径の円形による異形形状に形成されており、異なる直径の接合部には段差部が形成されている。この段差部は便蓋３２０の回動角度を規制するものであり、本体２００に設けられた規制部に段差部が当接すること回動角度が規制されるものである。
【０１３８】
それぞれの軸受部３３４と上面部３３１との接合部には便蓋内面部材３４０の後端を係合する係合部３３４ａが一体に形成されている。
【０１３９】
便蓋内面部材３４０は便蓋本体３３０の上面部３３１と略相似形の平面部３４１と、平面部の両側部に直角方向に切起こして形成された側面リブ３４２と、側面リブ３４２の外面に側面リブ３４２の強度を補強する補強リブ３４３が一体に形成されている。また、図２９に示す状態において、平面部３４１の前部および両側部の外周は、上方に向かって曲面に形成され、先端に向かって肉厚が薄く接合辺３４７が形成されている。接合辺３４７を備えることにより、便蓋本体３３０と便蓋内面部材３４０を組み立てた場合、外周の密着性を向上することができる。
【０１４０】
平面部３４１の前方二箇所には、便蓋本体３３０に形成された保持部３３３に結合する結合部３４４が一体に形成されている。結合部３４４の中央にねじ孔が開口しており、便蓋本体３３０と便蓋内面部材３４０とは、ねじ３２２で固定される構成となっている。また、便蓋内面部材３４０の後端部の両側部には便蓋本体３３０に形成された係合部３３４ａに係合させることができる係合片３４５が形成されている。
【０１４１】
図２９で示すように、便蓋本体３３０と対向する面を下方とした状態で、平面部３４１の両側部は上方に凹陥した凹陥部３４６が形成されており、凹陥部３４６は平面部３４１の後端より前端近傍まで形成されている。
【０１４２】
図３１に示すように、便蓋本体３３０と便蓋内面部材３４０を組み立てた状態では、平面部３４１の部分では便蓋本体３３０と便蓋内面部材３４０とは１ｍｍ以下の小さい間隙３２１が形成される構成であるが、部材の形状のバラツキ等により部分的には当接する部分がある。また、凹陥部３４６の部分では便蓋本体３３０と便蓋内面部材３４０の間に最大で約３ｃｍの大きい寸法の間隙３２１が形成される構成となっている。
【０１４３】
断熱材３５０は、発泡スチロールの成型品であり、平面視が略長方形の板状であり、便蓋内面部材３４０の凹陥部３４６に収容可能な形状に成型されており、便蓋本体３３０と便蓋内面部材３４０で形成される間隙３２１内部に収容される。
【０１４４】
緩衝部材３５１は弾性を備えた軟質樹脂材料である熱可塑性エラストマー樹脂（ＴＰＥ）で成型され、便蓋３２０と便座３００との当接時の衝撃を緩和する部材であり、便蓋本体３３０の保持部３３３に嵌入される脚部３５１ａと便座３００の上面に当接する当接部３５１ｂが一体に成型されている。脚部３５１ａは保持部３３３に圧入することにより容易に抜けない構成となっている。また、当接部３５１ｂは脚部３５１ａより大きい寸法に形成されている。
【０１４５】
便蓋３２０の組み立ては、便蓋本体３３０の内面に２個の断熱材３５０を所定位置に配置した状態で、便蓋内面部材３４０の係合片３４５を便蓋本体３３０の係合部３３４ａに係合させることにより、断熱材３５０を内装した状態で便蓋内面部材３４０の後部が便蓋本体３３０に係合される。
【０１４６】
図３２に示すように、便蓋内面部材３４０の結合部３４４を便蓋本体３３０の保持部３３３を係合し、ねじ３２２で固定することにより、便蓋内面部材３４０と便蓋本体３３０は固定される。
【０１４７】
その上から緩衝部材３５１を保持部３３３に圧入することにより、緩衝部材３５１が固定される。
【０１４８】
図３１、図３２に示すように、便蓋本体３３０と便蓋内面部材３４０と緩衝部材３５１を組み立てた状態では、便蓋内面部材３４０の接合辺３４７と便蓋本体３３０の内面とは、ほぼ密接した状態となる。便蓋本体３３０と便蓋内面部材３４０との間に形成される間隙３２１内部の空気の流動を抑制する作用を備えており、便蓋３２０の断熱効果を向上することができる。
【０１４９】
上記のように、本実施の形態における衛生洗浄装置は、サブタンク内に仕切壁を設け、入水槽と貯留槽を形成し、サブタンクの天面に大気開放口を設けたことにより、入水層の底部近傍の入水口から流入した空気を含む洗浄水は入水槽内を上昇する間に少なくとも一部の空気が分離される。分離された空気は大気開放口よりサブタンク外に放出され、空気の含有量が低減した洗浄水は仕切壁を越えて貯溜槽に流入し、貯溜槽の底部近傍の出水口からは空気含有量が低減された洗浄水が出水されることにより、熱交換器には空気含有量の少ない洗浄水が供給されることとなり、熱交換器内で発生する気泡を低減することが可能となり、熱交換器の熱効率を向上することができるとともに、熱交換器の損傷の低減と、耐久性の向上を図ることができる。
【０１５０】
また、本実施の形態における衛生洗浄装置は、水回路の構成において、流量を検知する専用の流量センサを別途設けることなく、サブタンクに設けた水位検知センサにより水位の変化を検知し、流量を演算により検出する構成としたことにより、水回路の構成を簡素化することができるとともに、コスト低減を図ることができる。
【０１５１】
また、サブタンクに設けた水位検知センサのコモン電極と、水位電極とを異なる面に設置したことにより、タンク本体の内面に付着した残水を貯溜水として誤検知することを抑制し、水位検知センサの検知精度と信頼性を向上することができる。
【０１５２】
また、水ポンプの設置において、振動の少ないモータ部を、弾性を備えた発泡樹脂製の緩衝部材を介してシャーシの水ポンプ設置部に設置し、バッファータンクとは接続チュー
ブで接続したことにより、水ポンプの駆動時に発生する振動をシャーシや他の部材、また本体に伝わること抑制することができる。
【産業上の利用可能性】
【０１５３】
以上のように、本発明にかかる衛生洗浄装置の水ポンプの振動が本体に伝達されることを抑制することが可能となるので、水ポンプを使用した他の水応用機器の用途にも適用できる。
【符号の説明】
【０１５４】
１００  衛生洗浄装置
１３０  制御部
５０１  シャーシ
５０１ａ  水ポンプ設置部
５０２  接続チューブ
５１４  止水電磁弁
５１６  水ポンプ
５１６ａ  モータ部
５１６ｂ  リンク機構部
５１６ｃ  ピストン部
６００  サブタンク
７００  熱交換器
８００  ノズル装置
【図１】
2015055031.tif 000003
【図２】
2015055031.tif 000004
【図３】
2015055031.tif 000005
【図４】
2015055031.tif 000006
【図５】
2015055031.tif 000007
【図６】
2015055031.tif 000008
【図７】
2015055031.tif 000009
【図８】
2015055031.tif 000010
【図９】
2015055031.tif 000011
【図１０】
2015055031.tif 000012
【図１１】
2015055031.tif 000013
【図１２】
2015055031.tif 000014
【図１３】
2015055031.tif 000015
【図１４】
2015055031.tif 000016
【図１５】
2015055031.tif 000017
【図１６】
2015055031.tif 000018
【図１７】
2015055031.tif 000019
【図１８】
2015055031.tif 000020
【図１９】
2015055031.tif 000021
【図２０】
2015055031.tif 000022
【図２１】
2015055031.tif 000023
【図２２】
2015055031.tif 000024
【図２３】
2015055031.tif 000025
【図２４】
2015055031.tif 000026
【図２５】
2015055031.tif 000027
【図２６】
2015055031.tif 000028
【図２７】
2015055031.tif 000029
【図２８】
2015055031.tif 000030
【図２９】
2015055031.tif 000031
【図３０】
2015055031.tif 000032
【図３１】
2015055031.tif 000033
【図３２】
2015055031.tif 000034
【図３３】
2015055031.tif 000035